(57)【要約】【課題】画像表示面に接近した位置および離れた位置から座標の検出が可能な発光を発生させる。【解決手段】データ電極にｙ座標検出電圧を印加したまま第１の数の走査電極に同時にｙ座標検出パルスを印加する動作を順次行う近接用ｙ座標検出サブフィールドＳＦｙ１と、データ電極にｙ座標検出電圧を印加したまま第１の数よりも多い第２の数の走査電極に同時にｙ座標検出パルスを印加する動作を順次行う遠隔用ｙ座標検出サブフィールドＳＦｙ２と、走査電極にｘ座標検出電圧を印加したまま第３の数のデータ電極に同時にｘ座標検出パルスを印加する動作を順次行う近接用ｘ座標検出サブフィールドＳＦｘ１と、走査電極にｘ座標検出電圧を印加したまま第３の数よりも多い第４の数のデータ電極に同時にｘ座標検出パルスを印加する動作を順次行う遠隔用ｘ座標検出サブフィールドＳＦｘ２と、を含む複数のサブフィールドで１フィールドを構成した。【選択図】図４
2015222278.tif 000002
【特許請求の範囲】
【請求項１】
第１の方向に延びた複数の走査電極および維持電極と、前記第１の方向に交差する第２の方向に延びた複数のデータ電極と、を有する画像表示素子を用いた画像表示装置の駆動方法であって、
１フィールド期間を、画像を表示するための画像表示サブフィールドと、前記データ電極にｙ座標検出電圧を印加したまま第１の数の走査電極に同時にｙ座標検出パルスを印加する動作を順次行う近接用ｙ座標検出サブフィールドと、前記データ電極にｙ座標検出電圧を印加したまま前記第１の数よりも多い第２の数の走査電極に同時にｙ座標検出パルスを印加する動作を順次行う遠隔用ｙ座標検出サブフィールドと、前記走査電極にｘ座標検出電圧を印加したまま第３の数のデータ電極に同時にｘ座標検出パルスを印加する動作を順次行う近接用ｘ座標検出サブフィールドと、前記走査電極にｘ座標検出電圧を印加したまま前記第３の数よりも多い第４の数のデータ電極に同時にｘ座標検出パルスを印加する動作を順次行う遠隔用ｘ座標検出サブフィールドと、を含む複数のサブフィールドで構成したことを特徴とする画像表示装置の駆動方法。
【請求項２】
第１の方向に延びた複数の走査電極および維持電極と、前記第１の方向に交差する第２の方向に延びた複数のデータ電極と、を有する画像表示素子を用いた画像表示装置の駆動方法であって、
１フィールド期間を、画像を表示するための画像表示サブフィールドと、前記データ電極にｙ座標検出電圧を印加したまま第１の数である「１」の走査電極にｙ座標検出パルスを印加する動作を順次行う近接用ｙ座標検出サブフィールドと、前記データ電極にｙ座標検出電圧を印加したまま前記第１の数である「１」よりも多い第２の数の走査電極に同時にｙ座標検出パルスを印加する動作を順次行う遠隔用ｙ座標検出サブフィールドと、前記走査電極にｘ座標検出電圧を印加したまま第３の数である「１」のデータ電極にｘ座標検出パルスを印加する動作を順次行う近接用ｘ座標検出サブフィールドと、前記走査電極にｘ座標検出電圧を印加したまま前記第３の数である「１」よりも多い第４の数のデータ電極に同時にｘ座標検出パルスを印加する動作を順次行う遠隔用ｘ座標検出サブフィールドと、を含む複数のサブフィールドで構成したことを特徴とする画像表示装置の駆動方法。
【請求項３】
第１の方向に延びた複数の走査電極および維持電極と前記第１の方向に交差する第２の方向に延びた複数のデータ電極とを有する画像表示素子と、１フィールド期間を複数のサブフィールドで構成して前記画像表示素子を駆動する駆動回路とを備えた画像表示装置であって、
前記駆動回路は、
１フィールド期間を、画像を表示するための画像表示サブフィールドと、前記データ電極にｙ座標検出電圧を印加したまま第１の数の走査電極に同時にｙ座標検出パルスを印加する動作を順次行う近接用ｙ座標検出サブフィールドと、前記データ電極にｙ座標検出電圧を印加したまま前記第１の数よりも多い第２の数の走査電極に同時にｙ座標検出パルスを印加する動作を順次行う遠隔用ｙ座標検出サブフィールドと、前記走査電極にｘ座標検出電圧を印加したまま第３の数のデータ電極に同時にｘ座標検出パルスを印加する動作を順次行う近接用ｘ座標検出サブフィールドと、前記走査電極にｘ座標検出電圧を印加したまま前記第３の数よりも多い第４の数のデータ電極に同時にｘ座標検出パルスを印加する動作を順次行う遠隔用ｘ座標検出サブフィールドと、を含む複数のサブフィールドで構成して、前記画像表示素子を駆動することを特徴とする画像表示装置。
【請求項４】
第１の方向に延びた複数の走査電極および維持電極と前記第１の方向に交差する第２の方向に延びた複数のデータ電極とを有する画像表示素子と、１フィールド期間を複数のサブフィールドで構成して前記画像表示素子を駆動する駆動回路とを備えた画像表示装置であって、
前記駆動回路は、
１フィールド期間を、画像を表示するための画像表示サブフィールドと、前記データ電極にｙ座標検出電圧を印加したまま第１の数である「１」の走査電極にｙ座標検出パルスを印加する動作を順次行う近接用ｙ座標検出サブフィールドと、前記データ電極にｙ座標検出電圧を印加したまま前記第１の数である「１」よりも多い第２の数の走査電極に同時にｙ座標検出パルスを印加する動作を順次行う遠隔用ｙ座標検出サブフィールドと、前記走査電極にｘ座標検出電圧を印加したまま第３の数である「１」のデータ電極にｘ座標検出パルスを印加する動作を順次行う近接用ｘ座標検出サブフィールドと、前記走査電極にｘ座標検出電圧を印加したまま前記第３の数である「１」よりも多い第４の数のデータ電極に同時にｘ座標検出パルスを印加する動作を順次行う遠隔用ｘ座標検出サブフィールドと、を含む複数のサブフィールドで構成して、前記画像表示素子を駆動することを特徴とする画像表示装置。
【請求項５】
請求項３または４に記載の画像表示装置と、前記画像表示装置の発光を受光して指し示す前記画像表示装置の表示画面上の座標を算出する電子ペンと、前記電子ペンが算出した座標に基づき描画信号を作成して前記画像表示装置に出力する描画回路と、を備え、
前記電子ペンは、前記近接用ｙ座標検出サブフィールドの発光を受光した場合は前記近接用ｙ座標検出サブフィールドの発光を用いてｙ座標を算出し、前記近接用ｙ座標検出サブフィールドの発光を受光せず前記遠隔用ｙ座標検出サブフィールドの発光を受光した場合は前記遠隔用ｙ座標検出サブフィールドの発光を用いてｙ座標を算出し、前記近接用ｘ座標検出サブフィールドの発光を受光した場合は前記近接用ｘ座標検出サブフィールドの発光を用いてｘ座標を算出し、前記近接用ｘ座標検出サブフィールドの発光を受光せず前記遠隔用ｘ座標検出サブフィールドの発光を受光した場合は前記遠隔用ｘ座標検出サブフィールドの発光を用いてｘ座標を算出することを特徴とする画像表示システム。
【発明の詳細な説明】
【技術分野】
【０００１】
本発明は、画像表示装置の駆動方法、画像表示装置、および電子ペンを用いて手書き入力が可能な画像表示システムに関する。
【背景技術】
【０００２】
大画面の画像表示素子として代表的なプラズマディスプレイパネルは、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
プラズマディスプレイパネルを駆動する方法としては、１フィールド期間を複数のサブフィールドで構成し、発光させるサブフィールドの組み合わせによって画像表示を行うサブフィールド法が一般的である。各サブフィールドは、初期化期間、書込み期間および維持期間を有する。初期化期間では初期化放電を発生し、書込み放電に必要な壁電荷を形成する。書込み期間では、表示する画像に応じて放電セルで選択的に書込み放電を発生し、維持放電に必要な壁電荷を形成する。そして維持期間では、走査電極と維持電極とに交互に維持パルスを印加して維持放電を発生させ、対応する放電セルの蛍光体層を発光させる。
【０００４】
近年は、このようなプラズマディスプレイパネルを用いて、黒板やホワイトボードのように、画像表示面上から、文字や絵などを入力できる電子黒板としての応用も検討されている。例えば特許文献１には、位置座標検出時にのみ１フィールド中に位置座標検出期間を設けて、この期間内に位置座標検出用の発光を発生させ、その発光を電子ペンで検出するタイミングにより位置座標を検出する方法が記載されている。
【先行技術文献】
【特許文献】
【０００５】
【特許文献１】特開２００１−３１８７６５号公報
【発明の概要】
【発明が解決しようとする課題】
【０００６】
しかし位置座標検出用の放電は画像を表示するための維持放電に比較するとやや弱い放電であり、放電にともなう発光の輝度もやや低い。従って、位置座標検出用の放電の発光を受光するために、電子ペンを画像表示装置の画像表示面に接触させて、あるいは画像表示面に接近させて使用する必要があった。
【０００７】
一方で、プレゼンテーション等で描画可能な画像表示システムを使用する場合に、画像表示装置の画像表示面から遠く離れた位置から描画したい、またはカーソルを表示したいといった要望がある。しかしながら画像表示面から離れた位置からでは位置座標検出用の放電の発光が検出できないという課題があった。
【０００８】
本発明は上記の課題に鑑みなされたものであり、画像表示面に接触または接近した位置および画像表示面から離れた位置から座標の検出が可能な発光を発生させる画像表示装置の駆動方法、画像表示装置、および電子ペンを用いて描画可能な画像表示システムを提供することを目的とする。
【課題を解決するための手段】
【０００９】
上記目的を達成するために本発明は、第１の方向に延びた複数の走査電極および維持電極と、第１の方向に交差する第２の方向に延びた複数のデータ電極と、を有する画像表示素子を用いた画像表示装置の駆動方法であって、１フィールド期間を、画像を表示するための画像表示サブフィールドと、データ電極にｙ座標検出電圧を印加したまま第１の数の走査電極に同時にｙ座標検出パルスを印加する動作を順次行う近接用ｙ座標検出サブフィールドと、データ電極にｙ座標検出電圧を印加したまま第１の数よりも多い第２の数の走査電極に同時にｙ座標検出パルスを印加する動作を順次行う遠隔用ｙ座標検出サブフィールドと、走査電極にｘ座標検出電圧を印加したまま第３の数のデータ電極に同時にｘ座標検出パルスを印加する動作を順次行う近接用ｘ座標検出サブフィールドと、走査電極にｘ座標検出電圧を印加したまま第３の数よりも多い第４の数のデータ電極に同時にｘ座標検出パルスを印加する動作を順次行う遠隔用ｘ座標検出サブフィールドと、を含む複数のサブフィールドで構成したことを特徴とする。この方法により、画像表示面に接近した位置および画像表示面から離れた位置から座標の検出が可能な発光を発生させる画像表示装置の駆動方法を提供することができる。
【００１０】
また本発明は、第１の方向に延びた複数の走査電極および維持電極と、第１の方向に交差する第２の方向に延びた複数のデータ電極と、を有する画像表示素子を用いた画像表示装置の駆動方法であって、１フィールド期間を、画像を表示するための画像表示サブフィールドと、データ電極にｙ座標検出電圧を印加したまま第１の数である「１」の走査電極にｙ座標検出パルスを印加する動作を順次行う近接用ｙ座標検出サブフィールドと、データ電極にｙ座標検出電圧を印加したまま第１の数である「１」よりも多い第２の数の走査電極に同時にｙ座標検出パルスを印加する動作を順次行う遠隔用ｙ座標検出サブフィールドと、走査電極にｘ座標検出電圧を印加したまま第３の数である「１」のデータ電極にｘ座標検出パルスを印加する動作を順次行う近接用ｘ座標検出サブフィールドと、走査電極にｘ座標検出電圧を印加したまま第３の数である「１」よりも多い第４の数のデータ電極に同時にｘ座標検出パルスを印加する動作を順次行う遠隔用ｘ座標検出サブフィールドと、を含む複数のサブフィールドで構成したことを特徴とする。この方法によっても、画像表示面に接近した位置および画像表示面から離れた位置から座標の検出が可能な発光を発生させる画像表示装置の駆動方法を提供することができる。
【００１１】
また本発明は、第１の方向に延びた複数の走査電極および維持電極と第１の方向に交差する第２の方向に延びた複数のデータ電極とを有する画像表示素子と、１フィールド期間を複数のサブフィールドで構成して画像表示素子を駆動する駆動回路とを備えた画像表示装置であって、駆動回路は、１フィールド期間を、画像を表示するための画像表示サブフィールドと、データ電極にｙ座標検出電圧を印加したまま第１の数の走査電極に同時にｙ座標検出パルスを印加する動作を順次行う近接用ｙ座標検出サブフィールドと、データ電極にｙ座標検出電圧を印加したまま第１の数よりも多い第２の数の走査電極に同時にｙ座標検出パルスを印加する動作を順次行う遠隔用ｙ座標検出サブフィールドと、走査電極にｘ座標検出電圧を印加したまま第３の数のデータ電極に同時にｘ座標検出パルスを印加する動作を順次行う近接用ｘ座標検出サブフィールドと、走査電極にｘ座標検出電圧を印加したまま第３の数よりも多い第４の数のデータ電極に同時にｘ座標検出パルスを印加する動作を順次行う遠隔用ｘ座標検出サブフィールドと、を含む複数のサブフィールドで構成して、画像表示素子を駆動することを特徴とする。この構成により、画像表示面に接近した位置および画像表示面から離れた位置から座標の検出が可能な発光を発生させる画像表示装置を提供することができる。
【００１２】
また本発明は、第１の方向に延びた複数の走査電極および維持電極と第１の方向に交差する第２の方向に延びた複数のデータ電極とを有する画像表示素子と、１フィールド期間を複数のサブフィールドで構成して画像表示素子を駆動する駆動回路とを備えた画像表示装置であって、駆動回路は、１フィールド期間を、画像を表示するための画像表示サブフィールドと、データ電極にｙ座標検出電圧を印加したまま第１の数である「１」の走査電極にｙ座標検出パルスを印加する動作を順次行う近接用ｙ座標検出サブフィールドと、データ電極にｙ座標検出電圧を印加したまま第１の数である「１」よりも多い第２の数の走査電極に同時にｙ座標検出パルスを印加する動作を順次行う遠隔用ｙ座標検出サブフィールドと、走査電極にｘ座標検出電圧を印加したまま第３の数である「１」のデータ電極にｘ座標検出パルスを印加する動作を順次行う近接用ｘ座標検出サブフィールドと、走査電極にｘ座標検出電圧を印加したまま第３の数である「１」よりも多い第４の数のデータ電極に同時にｘ座標検出パルスを印加する動作を順次行う遠隔用ｘ座標検出サブフィールドと、を含む複数のサブフィールドで構成して、画像表示素子を駆動することを特徴とする。この構成によっても、画像表示面に接近した位置および画像表示面から離れた位置から座標の検出が可能な発光を発生させる画像表示装置を提供することができる。
【００１３】
また本発明は、上記に記載の画像表示装置と、画像表示装置の発光を受光して指し示す画像表示装置の表示画面上の座標を算出する電子ペンと、電子ペンが算出した座標に基づき描画信号を作成して画像表示装置に出力する描画回路とを備え、電子ペンは、近接用ｙ座標検出サブフィールドの発光を受光した場合は近接用ｙ座標検出サブフィールドの発光を用いてｙ座標を算出し、近接用ｙ座標検出サブフィールドの発光を受光せず遠隔用ｙ座標検出サブフィールドの発光を受光した場合は遠隔用ｙ座標検出サブフィールドの発光を用いてｙ座標を算出し、近接用ｘ座標検出サブフィールドの発光を受光した場合は近接用ｘ座標検出サブフィールドの発光を用いてｘ座標を算出し、近接用ｘ座標検出サブフィールドの発光を受光せず遠隔用ｘ座標検出サブフィールドの発光を受光した場合は遠隔用ｘ座標検出サブフィールドの発光を用いてｘ座標を算出することを特徴とする。この構成により、画像表示面に接近した位置および画像表示面から離れた位置から座標の検出が可能な発光を発生させる画像表示装置、および電子ペンを用いて描画可能な画像表示システムを提供することができる。
【発明の効果】
【００１４】
本発明によれば、画像表示面に接近した位置および画像表示面から離れた位置から座標の検出が可能な発光を発生させる画像表示装置の駆動方法、画像表示装置、および電子ペンを用いて描画可能な画像表示システムを提供することが可能となる。
【図面の簡単な説明】
【００１５】
【図１】本発明の実施の形態における画像表示システムのパネルの分解斜視図である。
【図２】同画像表示システムのパネルの電極配列図である。
【図３】同画像表示システムのパネルに印加する駆動電圧波形図である。
【図４】同画像表示システムのパネルに印加する駆動電圧波形図である。
【図５】同画像表示システムの回路ブロック図である。
【図６】同画像表示システムの位置座標検出方法を説明する模式図である。
【図７】同画像表示システムの位置座標検出方法を説明するタイミングチャートである。
【図８】同画像表示システムの位置座標検出方法を説明する模式図である。
【図９】同画像表示システムの位置座標検出方法を説明するタイミングチャートである。
【図１０】同画像表示システムの描画の一例を示す模式図である。
【図１１】同画像表示システムのパネルに印加する他の駆動電圧波形図である。
【発明を実施するための形態】
【００１６】
以下、本発明の実施の形態における画像表示システムについて、プラズマディスプレイパネル（以下、「パネル」と略記する）を用いた画像表示システムを例に、図面を用いて説明する。
【００１７】
（実施の形態）
まず、パネルおよびその駆動方法について説明する。
【００１８】
図１は、本発明の実施の形態における画像表示システムのパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色に発光する蛍光体層２５Ｒ、緑色に発光する蛍光体層２５Ｇ、および青色の各色に発光する蛍光体層２５Ｂのいずれかの蛍光体層２５が設けられている。
【００１９】
これら前面基板１１と背面基板２１とは、微小な放電空間を挟んで表示電極対１４とデータ電極２２とが交差するように対向配置され、その外周部をガラスフリット等の封着材によって封着されている。そして放電空間には放電ガスが封入されている。放電空間は隔壁２４によって複数の区画に仕切られており、走査電極１２および維持電極１３とデータ電極２２との交差部のそれぞれに放電セルが形成されている。そしてこれらの放電セルが放電、発光することにより画像が表示される。
【００２０】
図２は、本発明の実施の形態における画像表示システムのパネル１０の電極配列図である。パネル１０には、第１の方向に延びたｎ本の走査電極ＳＣ１〜ＳＣｎ（図１の走査電極１２）およびｎ本の維持電極ＳＵ１〜ＳＵｎ（図１の維持電極１３）が配列され、第１の方向に交差する第２の方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の表示電極対との交差する部分に形成される３個の放電セルは、赤色のサブピクセル、緑色のサブピクセル、青色のサブピクセルである。そしてこれら３色のサブピクセルで１つの画素を構成する。したがって、例えばパネル１０が１０８０×１９２０の画素をもつ高精細度パネルであれば、ｎ＝１０８０、ｍ＝１９２０×３＝５７６０である。以下、便宜上、第１の方向を行方向、第２の方向を列方向とそれぞれ呼称する。
【００２１】
次に、画像表示装置の駆動電圧波形について説明する。本実施の形態においては、１フィールド期間を、画像を表示するための複数の画像表示サブフィールドと、座標を検出するための複数の座標検出サブフィールドとで構成する。
【００２２】
まず画像表示サブフィールドの詳細について説明する。画像表示サブフィールドはあらかじめ定められた輝度重みを持ち、それぞれの画像表示サブフィールドにおいて、発光・非発光を放電セル毎に制御することにより画像を表示する。
【００２３】
本実施の形態における画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、３４、２１、１３、８、５、３、２）である。しかしサブフィールド数、輝度重み等のサブフィールド構成は、上記に限定されるものではない。
【００２４】
図３は、本発明の実施の形態における画像表示システムのパネル１０に印加する駆動電圧波形図であり、画像表示サブフィールドのうちのサブフィールドＳＦ１〜ＳＦ３においてパネル１０の各電極に印加する駆動電圧波形を示している。
【００２５】
サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。
【００２６】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。なお、微弱な初期化放電にともなう発光の輝度は低い。
【００２７】
続く書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００２８】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した１行目の放電セルで書込み放電が発生し、走査電極ＳＣ１上および維持電極ＳＵ１上に壁電圧が蓄積される。こうして、１行目に発光させるべき放電セルで書込み動作が行われる。一方、書込みパルスを印加しなかった放電セルでは書込み動作は行われない。次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した２行目の放電セルで書込み放電が発生する。
【００２９】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を順次発生させる。なおこのとき発生する書込み放電は、後述する維持放電に比較するとやや弱い放電であり、放電にともなう発光の輝度もやや低い。
【００３０】
続く維持期間Ｐｓでは、データ電極Ｄ１〜Ｄｍに電圧０（Ｖ）を印加する。そして走査電極ＳＣ１〜ＳＣｎに電圧Ｖｓの維持パルスを印加するとともに維持電極ＳＵ１〜ＳＵｎに電圧０（Ｖ）を印加する。すると書込み放電を起こした放電セルでは維持放電が発生する。そして走査電極ＳＣｉ上および維持電極ＳＵｉ上の壁電圧の極性が反転する。書込み動作を行わなかった放電セルでは維持放電は発生せず、初期化期間Ｐｉの終了時における壁電圧が保たれる。
【００３１】
続いて、走査電極ＳＣ１〜ＳＣｎに電圧０（Ｖ）を印加するとともに維持電極ＳＵ１〜ＳＵｎに維持パルスを印加する。すると維持放電を起こした放電セルでは再び維持放電が発生する。そして走査電極ＳＣｉ上の壁電圧および維持電極ＳＵｉ上の壁電圧の極性が反転する。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。なおこのとき発生する維持放電は強い放電であり、放電にともなう発光の輝度も高い。
【００３２】
そして維持期間Ｐｓの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加する。すると、維持放電を発生した放電セルで微弱な消去放電が発生して、データ電極Ｄｋ上の壁電圧を残したまま、走査電極ＳＣｉ上および維持電極ＳＵｉ上の壁電圧が弱められる。
【００３３】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。一方、直前のサブフィールドＳＦ１で維持放電を起こさなかった放電セルについては放電することはなく、直前のサブフィールドＳＦ１の初期化期間Ｐｉ終了時における壁電圧が保たれる。
【００３４】
サブフィールドＳＦ２の書込み期間Ｐｗの動作はサブフィールドＳＦ１の書込み期間Ｐｗの動作と同様であるため説明を省略する。続く維持期間Ｐｓの動作も維持パルスの数を除いてサブフィールドＳＦ１の維持期間Ｐｓの動作と同様である。サブフィールドＳＦ３〜ＳＦ８の動作も、維持パルスの数を除いてサブフィールドＳＦ２の動作と同様である。
【００３５】
次に座標検出サブフィールドについて説明する。本実施の形態における座標検出サブフィールドは、同期検出サブフィールドと、近接用ｙ座標検出サブフィールドと、近接用ｘ座標検出サブフィールドと、遠隔用ｙ座標検出サブフィールドと、遠隔用ｘ座標検出サブフィールドとである。
【００３６】
同期検出サブフィールドは、電子ペンがパネル１０の発光タイミングと同期をとるための発光を発生するサブフィールドであり、初期化期間と書込み期間と同期検出期間とを有する。
【００３７】
近接用ｙ座標検出サブフィールドと遠隔用ｙ座標検出サブフィールドとは電子ペンが指し示す画像表示面上のｙ座標を検出するための発光を発生するサブフィールドであり、ともに初期化期間とｙ座標検出期間と消去期間とを有する。ここで近接用ｙ座標検出サブフィールドは画像表示面上または画像表示面に近い位置でｙ座標を精度よく検出するための発光を発生するサブフィールドであり、遠隔用ｙ座標検出サブフィールドは画像表示面からある程度はなれた距離からでもｙ座標を検出するための発光を発生するサブフィールドである。
【００３８】
近接用ｘ座標検出サブフィールドと遠隔用ｘ座標検出サブフィールドとは電子ペンが指し示す画像表示面上のｘ座標を検出するための発光を発生するサブフィールドであり、ともに初期化期間とｘ座標検出期間と消去期間とを有する。ここで近接用ｘ座標検出サブフィールドは画像表示面上または画像表示面に近い位置でｘ座標を精度よく検出するための発光を発生するサブフィールドであり、遠隔用ｘ座標検出サブフィールドは画像表示面からある程度はなれた距離からでもｘ座標を検出するための発光を発生するサブフィールドである。
【００３９】
なおここでは、行方向の座標をｘ座標、列方向の座標をｙ座標とした。
【００４０】
図４は、本発明の実施の形態における画像表示システムのパネル１０に印加する駆動電圧波形図であり、座標検出サブフィールドのそれぞれにおいてパネル１０の各電極に印加する駆動電圧波形を示している。
【００４１】
同期検出サブフィールドＳＦｏの初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、各電極上の壁電圧は書込み動作に適した値に調整される。
【００４２】
同期検出サブフィールドＳＦｏの書込み期間Ｐｗでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。その後、データ電極Ｄ１〜Ｄｍに電圧Ｖｄの書込みパルスを印加するとともに、走査電極ＳＣ１〜ＳＣｎに電圧Ｖａの走査パルスを印加する。すると全ての放電セルで書込み放電が発生する。なお本実施の形態においては、駆動時間短縮のため、走査電極ＳＣ１〜ＳＣｎに同時に走査パルスを印加するとともにデータ電極Ｄ１〜Ｄｍにも同時に書込みパルスを印加して、全ての放電セルで同時に書込み放電を発生させている。
【００４３】
そして書込み放電が収束した後に、走査電極ＳＣ１〜ＳＣｎの電圧を電圧Ｖｃに戻し、データ電極Ｄ１〜Ｄｍの電圧を電圧０（Ｖ）に戻す。
【００４４】
同期検出サブフィールドＳＦｏの同期検出期間Ｐｏでは、最後に書込み放電を発生させた時刻ｔｏ０から時間Ｔｏ０経過後の時刻ｔｏ１において、走査電極ＳＣ１〜ＳＣｎに電圧Ｖｓｏの同期検出パルスを印加するとともに維持電極ＳＵ１〜ＳＵｎに電圧０（Ｖ）を印加して、全ての放電セルで同期検出放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓｏの同期検出パルスを印加して、再び同期検出放電を発生させる。次に、時刻ｔｏ２から時間Ｔｏ２経過後の時刻ｔｏ３において、走査電極ＳＣ１〜ＳＣｎに同期検出パルスを印加するとともに維持電極ＳＵ１〜ＳＵｎに電圧０（Ｖ）を印加して、３回目の同期検出放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに同期検出パルスを印加して、４回目の同期検出放電を発生させる。
【００４５】
ここで、時間Ｔｏ１、時間Ｔｏ２、時間Ｔｏ３はあらかじめ定められた時間間隔であり、後述するように、時間Ｔｏ１、時間Ｔｏ２、時間Ｔｏ３の間隔で発生する４回の放電を検出することで同期検出放電を特定している。本実施の形態において、時間Ｔｏ０、時間Ｔｏ１、時間Ｔｏ２、時間Ｔｏ３は、例えばそれぞれ５０μｓ、４０μｓ、２０μｓ、３０μｓである。なおこのとき発生する同期検出放電そのものは、維持放電と同様の強い放電であり、放電にともなう発光の輝度も高い。
【００４６】
そして同期検出期間Ｐｏの最後には、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、走査電極ＳＣｉ上および維持電極ＳＵｉ上の壁電圧を弱める。
【００４７】
近接用ｙ座標検出サブフィールドＳＦｙ１の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、全ての放電セルで微弱な初期化放電が発生し、各電極上の壁電圧は座標検出動作に適した値に調整される。
【００４８】
近接用ｙ座標検出サブフィールドＳＦｙ１のｙ座標検出期間Ｐｙ１では、データ電極Ｄ１〜Ｄｍにｙ座標検出電圧Ｖｄｙを印加したまま、第１の数の走査電極に同時にｙ座標検出パルスを印加する動作を順次行う。以下では第１の数が「１」であると仮定して説明するが、第１の数が「２」以上であってもよい。
【００４９】
まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００５０】
次に、データ電極Ｄ１〜Ｄｍにｙ座標検出電圧Ｖｄｙを印加する。そして、１行目の走査電極ＳＣ１に電圧Ｖａｙのｙ座標検出パルスを印加する。すると１行目の放電セルでｙ座標検出のための放電（ｙ座標検出放電）が発生する。こうして１行目の画素行が発光する。
【００５１】
次に、データ電極Ｄ１〜Ｄｍにｙ座標検出電圧Ｖｄｙを印加したまま、２行目の走査電極ＳＣ２にｙ座標検出パルスを印加する。すると２行目の放電セルでｙ座標検出放電が発生する。こうして２行目の画素行が発光する。
【００５２】
以下同様に、データ電極Ｄ１〜Ｄｍにｙ座標検出電圧Ｖｄｙを印加したまま、走査電極ＳＣ３〜ＳＣｎにｙ座標検出パルスを順次印加して、３行目〜ｎ行目の画素行を順次発光させる。
【００５３】
このように近接用ｙ座標検出サブフィールドＳＦｙ１のｙ座標検出期間Ｐｙ１では、データ電極Ｄ１〜Ｄｍにｙ座標検出電圧Ｖｄｙを印加したまま第１の数の走査電極に同時にｙ座標検出パルスを印加する動作を順次行う。本実施の形態においては第１の数は「１」であるので、「第１の数の走査電極に同時にｙ座標検出パルスを印加する動作を順次行う」という文言は、「１本の走査電極にｙ座標検出パルスを印加する動作を順次行う」と解すべきことは言うまでもない。
【００５４】
なおこのとき発生するｙ座標検出放電は書込み放電と同様の放電であり、維持放電に比較するとやや弱く、放電にともなう発光の輝度もやや低い。
【００５５】
こうしてｙ座標検出期間Ｐｙ１では、１画素行の太さで発光する横線が画像表示面の上端部から下端部まで１画素行ずつ移動する。そのため後述するように、画像表示面に近い位置にある電子ペンで横線の発光を受光し、発光のタイミングを知ることで電子ペンが指し示す画像表示面のｙ座標を検出することができる。
【００５６】
近接用ｙ座標検出サブフィールドＳＦｙ１の消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加して、放電セルで微弱な消去放電を発生させる。
【００５７】
近接用ｘ座標検出サブフィールドＳＦｘ１の初期化期間Ｐｉの動作は、近接用ｙ座標検出サブフィールドＳＦｙ１の初期化期間Ｐｉの動作と同じである。
【００５８】
近接用ｘ座標検出サブフィールドＳＦｘ１のｘ座標検出期間Ｐｘ１では、走査電極ＳＣ１〜ＳＣｎにｘ座標検出電圧Ｖａｘを印加したまま、第３の数のデータ電極に同時にｘ座標検出パルスを印加する動作を順次行う。以下では第３の数が「３」であると仮定して説明するが、第３の数が「３」以外の数であってもよい。
【００５９】
まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖａｘを印加する。
【００６０】
次に、走査電極ＳＣ１〜ＳＣｎにｘ座標検出電圧Ｖａｘを印加したまま、１列目〜３列目のデータ電極Ｄ１〜Ｄ３に電圧Ｖｄｘのｘ座標検出パルスを印加する。すると１列目〜３列目の放電セルでｘ座標検出のための放電（ｘ座標検出放電）が発生する。こうして１列目の画素列が発光する。
【００６１】
次に、走査電極ＳＣ１〜ＳＣｎにｘ座標検出電圧Ｖａｘを印加したまま、４列目〜６列目のデータ電極Ｄ４〜Ｄ６にｘ座標検出パルスを印加する。すると４列目〜６列目の放電セルでｘ座標検出のための放電が発生する。こうして２列目の画素列が発光する。
【００６２】
以下同様に、走査電極ＳＣ１〜ＳＣｎにｘ座標検出電圧Ｖａｘを印加したまま、３列ずつのデータ電極にｘ座標検出パルスを順次印加して、放電セル列を３列ずつ、ｍ列目の放電セル列に至るまで順次発光させる。
【００６３】
このように近接用ｘ座標検出サブフィールドＳＦｘ１のｘ座標検出期間Ｐｘ１では、走査電極ＳＣ１〜ＳＣｎにｘ座標検出電圧Ｖａｘを印加したまま第３の数のデータ電極に同時にｘ座標検出パルスを印加する動作を順次行う。本実施の形態においては第３の数は「３」であるので、３本のデータ電極に同時にｘ座標検出パルスを印加する動作を順次行う。ここで、仮に第３の数が「１」である場合には、「第３の数のデータ電極に同時にｘ座標検出パルスを印加する動作を順次行う」という文言は、「１本のデータ電極にｘ座標検出パルスを印加する動作を順次行う」と解すべきことは言うまでもない。
【００６４】
なおこのとき発生するｘ座標検出放電も書込み放電と同様の放電であり、維持放電に比較するとやや弱く、放電にともなう発光の輝度もやや低い。
【００６５】
こうしてｘ座標検出期間Ｐｘ１では、１画素列の太さで発光する縦線が画像表示面の左端部から右端部まで１画素列ずつ移動する。そのため後述するように、画像表示面に近い位置にある電子ペンで縦線の発光を受光し、発光のタイミングを知ることで電子ペンが指し示す画像表示面のｘ座標を検出することができる。
【００６６】
近接用ｘ座標検出サブフィールドＳＦｘ１の消去期間Ｐｅの動作は、近接用ｙ座標検出サブフィールドＳＦｙ１の消去期間Ｐｅの動作と同じである。
【００６７】
遠隔用ｙ座標検出サブフィールドＳＦｙ２の初期化期間Ｐｉの動作は、近接用ｙ座標検出サブフィールドＳＦｙ１の初期化期間Ｐｉの動作と同じである。
【００６８】
遠隔用ｙ座標検出サブフィールドＳＦｙ２のｙ座標検出期間Ｐｙ２では、データ電極Ｄ１〜Ｄｍにｙ座標検出電圧Ｖｄｙを印加したまま、第１の数よりも多い第２の数の走査電極に同時にｙ座標検出パルスを印加する動作を順次行う。以下では第２の数が「８」であると仮定して説明するが、第２の数が「８」以外であってもよい。
【００６９】
まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖｃを印加する。
【００７０】
次に、データ電極Ｄ１〜Ｄｍにｙ座標検出電圧Ｖｄｙを印加する。そして近接用ｙ座標検出サブフィールドＳＦｙ１よりも多い複数行、本実施の形態においては、１行目〜８行目の走査電極ＳＣ１〜ＳＣ８に電圧Ｖａｙのｙ座標検出パルスを印加する。すると１行目〜８行目の放電セルでｙ座標検出のための放電が発生する。こうして１行目〜８行目の画素行が発光する。
【００７１】
次に、データ電極Ｄ１〜Ｄｍにｙ座標検出電圧Ｖｄｙを印加したまま、次の複数行、本実施の形態においては、９行目〜１６行目の走査電極ＳＣ２〜ＳＣ１６にｙ座標検出パルスを印加する。すると９行目〜１６行目の放電セルでｙ座標検出のための放電が発生する。こうして９行目〜１６行目の画素行が発光する。
【００７２】
以下同様に、データ電極Ｄ１〜Ｄｍにｙ座標検出電圧Ｖｄｙを印加したまま、近接用ｙ座標検出サブフィールドＳＦｙ１よりも多い複数行ずつ、本実施の形態においては、走査電極ＳＣ１７〜ＳＣｎにｙ座標検出パルスを８行ずつ順次印加して、１７行目〜ｎ行目の画素行を８行ずつ順次発光させる。
【００７３】
このように遠隔用ｙ座標検出サブフィールドＳＦｙ２のｙ座標検出期間Ｐｙ２では、データ電極Ｄ１〜Ｄｍにｙ座標検出電圧Ｖｄｙを印加したまま第１の数よりも多い第２の数、本実施の形態においては８本の走査電極に同時にｙ座標検出パルスを印加する動作を順次行う。
【００７４】
上述したように遠隔用ｙ座標検出サブフィールドＳＦｙ２においては、近接用ｙ座標検出サブフィールドＳＦｙ１よりも多い複数行、本実施の形態においては８画素行ずつ同時にｙ座標検出放電を発光させている。そのため放電にともなう発光の輝度は、近接用ｙ座標検出サブフィールドＳＦｙ１におけるｙ座標検出放電にともなう発光よりも強くなる。
【００７５】
こうして遠隔用ｙ座標検出期間Ｐｙ２では、８画素行の太さで発光する横線が画像表示面の上端部から下端部まで８画素行ずつ移動する。そのため後述するように、画像表示面からある程度はなれた位置であっても電子ペンで横線の発光を受光することができ、電子ペンが指し示す画像表示面のｙ座標を検出することができる。ただし横線が８画素行ずつ移動するのでｙ座標の検出精度は１／８に低下する。
【００７６】
遠隔用ｙ座標検出サブフィールドＳＦｙ２の消去期間Ｐｅの動作は、近接用ｙ座標検出サブフィールドＳＦｙ１の消去期間Ｐｅの動作と同じである。
【００７７】
遠隔用ｘ座標検出サブフィールドＳＦｘ２の初期化期間Ｐｉの動作は、近接用ｘ座標検出サブフィールドＳＦｘ１の初期化期間Ｐｉの動作と同じである。
【００７８】
遠隔用ｘ座標検出サブフィールドＳＦｘ２のｘ座標検出期間Ｐｘ２では、走査電極ＳＣ１〜ＳＣｎにｘ座標検出電圧Ｖａｘを印加したまま、第３の数よりも多い第４の数のデータ電極に同時にｘ座標検出パルスを印加する動作を順次行う。以下では第４の数が「２４」であると仮定して説明するが、第４の数が「２４」以外の数であってもよい。
【００７９】
まずデータ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧Ｖａｘを印加する。
【００８０】
次に、走査電極ＳＣ１〜ＳＣｎにｘ座標検出電圧Ｖａｘを印加したまま、近接用ｘ座標検出サブフィールドＳＦｘ１よりも多い複数列、本実施の形態においては、１列目〜２４列目のデータ電極Ｄ１〜Ｄ２４に電圧Ｖｄｘのｘ座標検出パルスを印加する。すると１列目〜２４列目の放電セルでｘ座標検出のための放電が発生する。こうして１列目〜８列目の画素列が発光する。
【００８１】
次に、走査電極ＳＣ１〜ＳＣｎにｘ座標検出電圧Ｖａｘを印加したまま、次の複数列、本実施の形態においては、２５列目〜４８列目のデータ電極Ｄ２５〜Ｄ４８にｘ座標検出パルスを印加する。すると２５列目〜４８列目の放電セルでｘ座標検出のための放電が発生する。こうして９列目〜１６列目の画素列が発光する。
【００８２】
以下同様に、走査電極ＳＣ１〜ＳＣｎにｘ座標検出電圧Ｖａｘを印加したまま、近接用ｘ座標検出サブフィールドＳＦｘ１よりも多い複数列ずつ、本実施の形態においては、２４列ずつのデータ電極にｘ座標検出パルスを順次印加して、放電セル列を２４列ずつ、すなわち画素列を８列ずつ、ｍ列目の放電セル列に至るまで順次発光させる。
【００８３】
このように遠隔用ｘ座標検出サブフィールドＳＦｘ２のｘ座標検出期間Ｐｘ２では、走査電極ＳＣ１〜ＳＣｎにｘ座標検出電圧Ｖａｘを印加したまま第３の数よりも多い第４の数、本実施の形態においては２４本のデータ電極に同時にｘ座標検出パルスを印加する動作を順次行う。
【００８４】
上述したように遠隔用ｘ座標検出サブフィールドＳＦｘ２においては、近接用ｘ座標検出サブフィールドＳＦｘ１よりも多い複数列、本実施の形態においては８画素列ずつ同時にｘ座標検出放電を発光させている。そのため放電にともなう発光の輝度は、近接用ｘ座標検出サブフィールドＳＦｘ１におけるｘ座標検出放電にともなう発光よりも強くなる。
【００８５】
こうして遠隔用ｘ座標検出期間Ｐｘ２では、８画素列の太さで発光する縦線が画像表示面の左端部から右端部まで８画素列ずつ移動する。そのため後述するように、画像表示面からある程度はなれた位置であっても電子ペンで縦線の発光を受光することができ、電子ペンが指し示す画像表示面のｘ座標を検出することができる。ただし縦線が８画素列ずつ移動するのでｘ座標の検出精度は１／８に低下する。
【００８６】
遠隔用ｘ座標検出サブフィールドＳＦｘ２の消去期間Ｐｅの動作は、近接用ｘ座標検出サブフィールドＳＦｘ１の消去期間Ｐｅの動作と同じである。
【００８７】
以上のように本実施の形態において座標検出サブフィールドは、同期検出サブフィールドＳＦｏを設けるとともに、２つのｙ座標検出サブフィールドＳＦｙ１、ＳＦｙ２と、２つのｘ座標検出サブフィールドＳＦｘ１、ＳＦｘ２とを設けている。
【００８８】
そして近接用ｙ座標検出期間Ｐｙ１では第１の数の画素行の太さで発光する横線が画像表示面の上端部から下端部まで第１の数の画素行ずつ移動し、近接用ｘ座標検出期間Ｐｘ１では（第３の数／３）の画素列の太さで発光する縦線が画像表示面の左端部から右端部まで（第３の数／３）の画素列ずつ移動する。そのためこれらの放電にともなう発光の輝度は低いものの、精度よく座標を検出することができるので、後述するように、画像表示面に接触または近い距離にある電子ペンで座標を精度よく検出するために用いられる。
【００８９】
また、遠隔用ｙ座標検出期間Ｐｙ２では第２の数の画素行の太さで発光する横線が画像表示面の上端部から下端部まで第２の数の画素行ずつ移動し、遠隔用ｘ座標検出期間Ｐｘ２では（第４の数／３）の画素列の太さで発光する縦線が画像表示面の左端部から右端部まで（第４の数／３）の画素列ずつ移動する。そのため検出する座標の精度は悪くなるが、これらの放電にともなう発光の輝度が遠隔用ｙ座標検出期間Ｐｙ１に比べて高くなるので、後述するように、画像表示面から離れた位置にある電子ペンであっても座標を検出することができる。
【００９０】
なお上記では、第１の数を「１」、第２の数を「８」、第３の数を「３」、第４の数を「２４」として説明したが、本発明はこれらの数に限定されるものではない。例えば、第２の数を「４０」、第４の数を「１２０」とし、遠隔用ｙ座標検出期間Ｐｙ２において４０画素行の太さで発光する横線を画像表示面の上端部から下端部まで４０画素行ずつ移動させ、遠隔用ｘ座標検出期間Ｐｘ２では４０画素列の太さで発光する縦線を画像表示面の左端部から右端部まで４０画素列ずつ移動させてもよい。そうすることで検出する座標の精度は悪くなるが、これらの放電にともなう発光の輝度が更に高くなるので、電子ペンの座標検出の距離を、例えば８ｍ程度まで伸ばし、広い会議室でも遠隔操作を行えるようにすることができる。
【００９１】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝電圧Ｖａｙ＝電圧Ｖａｘ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝電圧Ｖｄｙ＝電圧Ｖｄｘ＝５５（Ｖ）である。しかしこれらの電圧値は一例を挙げたに過ぎず、パネル１０の特性や画像表示装置の仕様等に合わせて、適宜最適な値に設定することが望ましい。
【００９２】
次に、画像表示システムの構成について説明する。
【００９３】
図５は、本発明の実施の形態における画像表示システム１００の回路ブロック図である。画像表示システム１００は、画像表示装置３０と、画像表示装置３０の発光を受光して指し示す画像表示装置３０の表示画面上の座標を算出する電子ペン５０と、電子ペン５０が算出した座標に基づき描画信号を作成して画像表示装置３０に出力する描画装置４０とを備える。電子ペン５０は複数本備えていてもよい。
【００９４】
画像表示装置３０は、パネル１０と駆動回路とを備えている。駆動回路は、画像を表示するための画像表示サブフィールドと、座標を検出するための座標検出サブフィールドとを含む複数のサブフィールドで１フィールド期間を構成して、パネル１０を駆動する。駆動回路は、画像信号処理部３１と、データ電極駆動部３２と、走査電極駆動部３３と、維持電極駆動部３４と、制御部３５と、各回路ブロックに必要な電源を供給する電源部（図示せず）とを有する。
【００９５】
画像信号処理部３１は、入力した画像信号と描画装置４０とから出力される画像信号とを切換えて、または合成して、サブフィールド毎の発光・非発光を示す画像データに変換する。また水平および垂直の同期信号を制御部３５に出力する。制御部３５は、同期信号をもとにして各回路ブロックの動作を制御する各種の制御信号を発生し、それぞれの回路ブロックへ供給する。
【００９６】
データ電極駆動部３２は、画像表示サブフィールドにおいては図３に示したように、画像データをデータ電極Ｄ１〜Ｄｍのそれぞれに対応する書込みパルスに変換し、データ電極Ｄ１〜Ｄｍのそれぞれに印加する。また座標検出サブフィールドにおいては図４に示した駆動電圧波形をデータ電極Ｄ１〜Ｄｍのそれぞれに印加する。
【００９７】
走査電極駆動部３３は、制御信号に基づいて、図３および図４に示した駆動電圧波形を走査電極ＳＣ１〜ＳＣｎのそれぞれに印加する。維持電極駆動部３４は、制御信号に基づいて、図３および図４に示した駆動電圧波形を維持電極ＳＵ１〜ＳＵｎのそれぞれに印加する。
【００９８】
電子ペン５０は、画像表示装置３０の画像表示面上から文字や絵などを入力するためのものであり、受光素子５２と、同期検出部５４と、座標算出部５６と、送信部５８とを有する。
【００９９】
受光素子５２は、画像表示装置３０の発光を受光して、同期検出部５４および座標算出部５６に受光信号を出力する。発光を効率よく集光するために、レンズを組み合わせた構成であってもよい。
【０１００】
同期検出部５４は、受光信号の中から、あらかじめ定められた所定の数列に対応する時間間隔で発生した発光を検出し、同期検出サブフィールドＳＦｏの同期検出期間Ｐｏの同期検出放電を特定する。そしてｙ座標検出サブフィールドＳＦｙ１、ＳＦｙ２およびｘ座標検出サブフィールドＳＦｘ１、ＳＦｘ２と同期した座標基準信号を受光信号にもとづき作成する。
【０１０１】
本実施の形態における同期検出部５４は、発光の間隔が順に時間Ｔｏ１、時間Ｔｏ２、時間Ｔｏ３となる４個の連続する発光を受光信号の中から探す。そして４個の連続する発光を検出すると、その発光の１つ、例えば時刻ｔｏ１に発生した発光を基準とし、あらかじめ決められている時間に基づいて、ｙ座標検出期間Ｐｙ１の開始時刻ｔｙ０１とｘ座標検出期間Ｐｘ１の開始時刻ｔｘ０１とｙ座標検出期間Ｐｙ２の開始時刻ｔｙ０２とｘ座標検出期間Ｐｘ２の開始時刻ｔｘ０２とに立上りを有する座標基準信号を作成し、座標算出部５６に出力する。
【０１０２】
座標算出部５６は、時間の長さを計測するためのカウンタと、カウンタの出力に演算を施す演算回路とを備える。そして電子ペン５０が指し示す画像表示装置３０の表示画面上のｘ座標およびｙ座標を、制御部３５から出力される座標基準信号と受光素子５２から出力される受光信号とにもとづき算出する。
【０１０３】
まず、電子ペン５０を画像表示装置３０の画像表示面に接触させて使用する場合、または画像表示面に近い位置で使用する場合について説明する。
【０１０４】
図６は、本発明の実施の形態における画像表示システム１００の位置座標検出方法を説明する模式図であり、電子ペン５０を画像表示装置３０の画像表示面に接触させて使用する場合または画像表示面に近い位置で使用する場合を示している。また図７は、本発明の実施の形態における画像表示システム１００の位置座標検出方法を説明するタイミングチャートの一例であり、走査電極ＳＣ１〜ＳＣｎの駆動電圧波形、データ電極Ｄ１〜Ｄｍの駆動電圧波形、座標基準信号とともに、この場合の受光信号を示している。ここで閾値ｔｈは、受光素子５２が安定して発光を検出できる受光信号の最低レベルを示している。
【０１０５】
上述したように、近接用ｙ座標検出サブフィールドＳＦｙ１のｙ座標検出期間Ｐｙ１では、画像表示面の上端部から下端部まで移動する横線Ｌｙ１が表示される。そして電子ペン５０が指し示す画像表示面の座標（ｘ、ｙ）を横線Ｌｙ１が通過する時刻ｔｙｙ１において受光素子５２は横線Ｌｙ１の発光を受光する。そのため受光素子５２は、時刻ｔｙｙ１の受光を示す受光信号を出力する。また近接用ｘ座標検出サブフィールドＳＦｘ１のｘ座標検出期間Ｐｘ１では、画像表示面の左端部から右端部まで移動する縦線Ｌｘ１が表示される。そして電子ペン５０が指し示す画像表示面の座標（ｘ、ｙ）を縦線Ｌｘ１が通過する時刻ｔｘｘ１において受光素子５２は縦線Ｌｘ１の発光を受光する。そのため受光素子５２は、時刻ｔｘｘ１の受光を示す受光信号を出力する。
【０１０６】
ここで、時刻ｔｙ０１から時刻ｔｙｙ１までの時間を時間Ｔｙｙ１、時刻ｔｙ０１から最初の走査電極ＳＣ１にｙ座標検出パルスを印加するまでの時間を時間Ｔｙ０１、ｙ座標検出パルスを印加する周期を時間Ｔｙ１１とすると、座標算出部５６は、時間（Ｔｙｙ１−Ｔｙ０１）を時間Ｔｙ１１で除算してｙ座標を求める。また時刻ｔｘ０１から時刻ｔｘｘ１までの時間を時間Ｔｘｘ１、最初にｘ座標検出パルスを印加するまでの時間を時間Ｔｘ０１、ｘ座標検出パルスを印加する周期を時間Ｔｘ１１とすると、座標算出部５６は、時間（Ｔｘｘ１−Ｔｘ０１）を時間Ｔｘ１１で除算してｘ座標を求める。
【０１０７】
なお、受光素子５２が近接用ｙ座標検出サブフィールドＳＦｙ１の横線Ｌｙ１の発光を受光した場合には遠隔用ｙ座標検出サブフィールドＳＦｙ２の横線Ｌｙ２の発光も受光し、近接用ｘ座標検出サブフィールドＳＦｘ１の縦線Ｌｘ１の発光を受光した場合には遠隔用ｘ座標検出サブフィールドＳＦｘ２の縦線Ｌｘ２の発光も受光することになる。しかし座標算出部５６は、横線Ｌｙ１の発光を受光した場合は横線Ｌｙ１の発光を用いてｙ座標を検出する。また縦線Ｌｘ１の発光を受光した場合は縦線Ｌｘ１の発光を用いてｘ座標を検出する。
【０１０８】
次に、電子ペン５０を画像表示装置３０の画像表示面から遠く離して使用する場合について説明する。
【０１０９】
図８は、本発明の実施の形態における画像表示システム１００の位置座標検出方法を説明する模式図であり、電子ペン５０を画像表示装置３０の画像表示面から離して使用する場合を示している。また図９は、本発明の実施の形態における画像表示システム１００の位置座標検出方法を説明するタイミングチャートの他の例であり、走査電極ＳＣ１〜ＳＣｎの駆動電圧波形、データ電極Ｄ１〜Ｄｍの駆動電圧波形、座標基準信号とともに、この場合の受光信号を示している。ここでも閾値ｔｈは、受光素子５２が安定して発光を検出できる受光信号の最低レベルを示している。
【０１１０】
上述したように、近接用ｙ座標検出サブフィールドＳＦｙ１のｙ座標検出期間Ｐｙ１に表示される横線Ｌｙ１および近接用ｘ座標検出サブフィールドＳＦｘ１のｘ座標検出期間Ｐｘ１に表示される縦線Ｌｘ１は輝度が低いので、電子ペン５０が画像表示面から離れていると、離れている距離によってはそれらの発光を受光できない場合がある。
【０１１１】
しかしながら、電子ペン５０が指し示す画像表示面の座標（ｘ、ｙ）を横線Ｌｙ２が通過する時刻ｔｙｙ２において横線Ｌｙ２の発光を受光することができれば、受光素子５２は時刻ｔｙｙ２の受光を示す受光信号を出力する。また電子ペン５０が指し示す画像表示面の座標（ｘ、ｙ）を縦線Ｌｘ２が通過する時刻ｔｘｘ２において縦線Ｌｘ２の発光を受光することができれば、受光素子５２は時刻ｔｘｘ２の受光を示す受光信号を出力する。
【０１１２】
このように、受光素子５２が、近接用の座標検出サブフィールドＳＦｙ１、ＳＦｘ１で発光する横線Ｌｙ１および縦線Ｌｘ１の発光を受光できない場合であっても、遠隔用の座標検出サブフィールドＳＦｙ２、ＳＦｘ２で発光する横線Ｌｙ２および縦線Ｌｘ２の発光を受光することができれば、座標算出部５６は、電子ペン５０が指し示す画像表示装置３０の表示画面上の座標（ｘ、ｙ）を算出する。
【０１１３】
ここで時刻ｔｙ０２から時刻ｔｙｙ２までの時間を時間Ｔｙｙ２、時刻ｔｙ０２から最初にｙ座標検出パルスを印加するまでの時間を時間Ｔｙ０２、ｙ座標検出パルスを印加する周期を時間Ｔｙ１２とすると、座標算出部５６は、時間（Ｔｙｙ２−Ｔｙ０２）を時間Ｔｙ１２で除算した値を複数倍、本実施の形態においては８倍してｙ座標を求める。また時刻ｔｘ０２から時刻ｔｘｘ２までの時間を時間Ｔｘｘ２、時刻ｔｘ０２から最初にｘ座標検出パルスを印加するまでの時間を時間Ｔｘ０２、ｘ座標検出パルスを印加する周期を時間Ｔｘ１２とすると、座標算出部５６は、時間（Ｔｘｘ２−Ｔｘ０２）を時間Ｔｘ１２で除算した値を複数倍、本実施の形態においては８倍してｘ座標を求める。ただしこの場合には、時間Ｔｙ１２毎に横線の位置が８画素分移動し、時間Ｔｘ１２毎に縦線の位置が８画素分移動するので、分解能が８画素となる。
【０１１４】
このようして座標算出部５６は、電子ペン５０の受光素子５２が横線Ｌｙ１および縦線Ｌｘ１の発光を受光できれば、これらの発光のタイミングに基づき，電子ペン５０の指し示す座標（ｘ、ｙ）を精度よく求める。また、受光素子５２が横線Ｌｙ１および縦線Ｌｘ１の発光を受光できない場合であっても、横線Ｌｙ２および縦線Ｌｘ２の発光を受光できれば、これらの発光のタイミングに基づき，精度は劣るもの電子ペン５０が指し示す画像表示面の座標（ｘ、ｙ）を求める。
【０１１５】
送信部５８は、座標算出部５６が算出したｘ座標およびｙ座標をエンコードして描画装置４０の受信部４２に無線で送信する。
【０１１６】
描画装置４０は、電子ペン５０が指し示す画像表示面の座標（ｘ、ｙ）に基づき画像信号を作成する。この画像信号は、使用者が描画した画像を表示するためのものである。描画装置４０は、受信部４２と、描画部４６とを有する。
【０１１７】
受信部４２は、電子ペン５０から送信された座標（ｘ、ｙ）を受信して描画部４６に出力する。
【０１１８】
描画部４６はフレームメモリを備え、受信部４２で受信した座標（ｘ、ｙ）にもとづき、画像表示面上の電子ペン５０の軌跡を示す描画信号を作成して、画像表示装置３０に出力する。
【０１１９】
図１０は、本発明の実施の形態における画像表示システム１００の描画の一例を示す模式図である。描画部４６は、座標算出部５６が算出した座標（ｘ、ｙ）に対応する画素を中心に、所定の色および大きさの丸などのパターンをフレームメモリに書込む。使用者が電子ペン５０の指し示す位置を移動させると、座標算出部５６が算出する座標（ｘ、ｙ）も移動する。そして前フィールドにおける座標（ｘ、ｙ）を中心とするカーソルのパターンを消去しつつ現フィールドにおける座標（ｘ、ｙ）を中心とするカーソルのパターンをフレームメモリに書込むことで、描画部４６は、電子ペン５０の指し示す位置にカーソルを表示する描画信号を作成する。また描画部４６は、前フィールドにおける座標（ｘ、ｙ）を中心とする所定のパターンを消去することなしに、移動する座標（ｘ、ｙ）を中心とする所定のパターンをフレームメモリに順次上書きすることで、図１０に示したように、画像表示面上の電子ペン５０の軌跡を示す描画信号を作成する。
【０１２０】
そして画像表示装置３０の画像信号処理部３１は、入力した画像信号と描画部４６から出力される描画信号とを合成し、サブフィールド毎の発光・非発光を示す画像データに変換する。これにより、電子ペン５０で書いた画像と入力した画像信号の画像とが重畳されて表示される。
【０１２１】
以上のように本実施の形態における画像表示装置３０は、１フィールド期間を、画像を表示するための画像表示サブフィールドＳＦ１〜ＳＦ８と、データ電極Ｄ１〜Ｄｍにｙ座標検出電圧Ｖｄｙを印加したまま第１の数の走査電極に同時にｙ座標検出パルスを印加する動作を順次行う近接用ｙ座標検出サブフィールドＳＦｙ１と、データ電極Ｄ１〜Ｄｍにｙ座標検出電圧Ｖｄｙを印加したまま第１の数よりも多い第２の数の走査電極に同時にｙ座標検出パルスを印加する動作を順次行う遠隔用ｙ座標検出サブフィールドＳＦｙ２と、走査電極ＳＣ１〜ＳＣｎにｘ座標検出電圧Ｖａｘを印加したまま第３の数のデータ電極に同時にｘ座標検出パルスを印加する動作を順次行う近接用ｘ座標検出サブフィールドＳＦｘ１と、走査電極ＳＣ１〜ＳＣｎにｘ座標検出電圧Ｖａｘを印加したまま第３の数よりも多い第４の数のデータ電極に同時にｘ座標検出パルスを印加する動作を順次行う遠隔用ｘ座標検出サブフィールドＳＦｘ２と、を含む複数のサブフィールドで構成している。そして電子ペン５０は、近接用ｙ座標検出サブフィールドＳＦｙ１の発光を受光した場合は近接用ｙ座標検出サブフィールドＳＦｙ１の発光を用いてｙ座標を算出し、近接用ｙ座標検出サブフィールドＳＦｙ１の発光を受光せず遠隔用ｙ座標検出サブフィールドＳＦｙ２の発光を受光した場合は遠隔用ｙ座標検出サブフィールドＳＦｙ２の発光を用いてｙ座標を算出し、近接用ｘ座標検出サブフィールドＳＦｘ１の発光を受光した場合は近接用ｘ座標検出サブフィールドＳＦｘ１の発光を用いてｘ座標を算出し、近接用ｘ座標検出サブフィールドＳＦｘ１の発光を受光せず遠隔用ｘ座標検出サブフィールドＳＦｘ２の発光を受光した場合は遠隔用ｘ座標検出サブフィールドＳＦｘ２の発光を用いてｘ座標を算出する。
【０１２２】
なお座標検出サブフィールドのそれぞれでは、通常の画像表示サブフィールドと異なる放電を発生させるために、壁電圧の初期化が不安定となり、誤点灯や不灯と行った誤動作が発生する確率が高くなる。次に、このような誤動作を抑え、安定した駆動を行うための初期化動作の一例について説明する。
【０１２３】
図１１は、本発明の実施の形態における画像表示システムのパネル１０に印加する他の駆動電圧波形図であり、座標検出サブフィールドのそれぞれにおいてパネル１０の各電極に印加する駆動電圧波形を示している。なお以下では、座標検出サブフィールドそれぞれの初期化期間についてのみ、詳細に説明する。
【０１２４】
同期検出サブフィールドＳＦｏの初期化期間Ｐｉでは、データ電極Ｄ１〜Ｄｍに電圧Ｖｄを印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅよりも低い電圧Ｖｅ１を印加し、走査電極ＳＣ１〜ＳＣｎに電圧０（Ｖ）から電圧Ｖｉ４まで下降する下り傾斜電圧を印加する。
【０１２５】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【０１２６】
近接用ｙ座標検出サブフィールドＳＦｙ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｉ４まで下降する下り傾斜電圧を印加する。次にデータ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｓを印加する。次に維持電極ＳＵ１〜ＳＵｎに電圧Ｖｓを印加し、走査電極ＳＣ１〜ＳＣｎに電圧０（Ｖ）を印加する。次に維持電極ＳＵ１〜ＳＵｎに電圧Ｖｅ１を印加し、走査電極ＳＣ１〜ＳＣｎに電圧０（Ｖ）から電圧Ｖｉ４まで下降する下り傾斜電圧を印加する。
【０１２７】
すると、全ての放電セルで微弱な初期化放電が発生し、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｙ座標検出のための放電に適した値に調整される。
【０１２８】
近接用ｘ座標検出サブフィールドＳＦｘ１の初期化期間Ｐｉでは、データ電極Ｄ１〜Ｄｍに電圧Ｖｄを印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅ１を印加し、走査電極ＳＣ１〜ＳＣｎに電圧０（Ｖ）から電圧Ｖａまで下降する下り傾斜電圧を印加する。さらに走査電極ＳＣ１〜ＳＣｎに電圧０（Ｖ）から電圧Ｖｒまで上昇する上り傾斜電圧を印加し、その後、走査電極ＳＣ１〜ＳＣｎに電圧０（Ｖ）からｘ座標検出電圧Ｖａｘまで下降する下り傾斜電圧を印加する。
【０１２９】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【０１３０】
遠隔用ｙ座標検出サブフィールドＳＦｙ２の初期化期間Ｐｉでは、データ電極Ｄ１〜Ｄｍに電圧Ｖｄを印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅ１を印加し、走査電極ＳＣ１〜ＳＣｎに電圧０（Ｖ）から電圧Ｖｉ４まで下降する下り傾斜電圧を印加する。
【０１３１】
すると、全ての放電セルで微弱な初期化放電が発生し、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｙ座標検出のための放電に適した値に調整される。
【０１３２】
遠隔用ｘ座標検出サブフィールドＳＦｘ２の初期化期間Ｐｉでは、データ電極Ｄ１〜Ｄｍに電圧Ｖｄを印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次にデータ電極Ｄ１〜Ｄｍに電圧０（Ｖ）を印加し、維持電極ＳＵ１〜ＳＵｎに電圧Ｖｅ１を印加し、走査電極ＳＣ１〜ＳＣｎに電圧０（Ｖ）から電圧Ｖａまで下降する下り傾斜電圧を印加する。さらに走査電極ＳＣ１〜ＳＣｎに電圧０（Ｖ）から電圧Ｖｒまで上昇する上り傾斜電圧を印加し、その後、走査電極ＳＣ１〜ＳＣｎに電圧０（Ｖ）からｘ座標検出電圧Ｖａｘまで下降する下り傾斜電圧を印加する。
【０１３３】
すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧はｘ座標検出のための放電に適した値に調整される。
【０１３４】
遠隔用ｘ座標検出サブフィールドＳＦｘ２の消去期間Ｐｅでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧０（Ｖ）から電圧Ｖｒまで上昇する上り傾斜電圧を印加した後、図１１に示したように、電圧Ｖｉ１から電圧Ｖｉ２まで上昇する上り傾斜電圧を印加してもよい。
【０１３５】
なお、実施の形態においては、ｙ座標検出期間Ｐｙ１に、放電セル行を１行分ずつ順次発光させて、画像表示面の上端部から下端部まで移動する横線を示した。しかし本発明はこれに限定されるものではない。例えば、放電セル行を２行分ずつ順次発光させて移動する横線を表示してもよく、また放電セル行を１行おきに発光させて移動する横線を表示してもよい。同様に、ｘ座標検出期間Ｐｘ１においても、放電セル列を任意の複数列ずつ順次発光させてもよく、また放電セル列を複数列おきに発光させてもよい。ｙ座標検出期間Ｐｙ２、ｘ座標検出期間Ｐｘ２についても同様である。これにより輝度をさらに低下させるとともに、ｙ座標検出サブフィールドＳＦｙ１、ＳＦｙ２、ｘ座標検出サブフィールドＳＦｘ１、ＳＦｘ２に要する時間を短くすることができる。
【０１３６】
また実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１３７】
本発明は、画像表示面に接近した位置および画像表示面から離れた位置から座標の検出が可能な発光を発生させるので、画像表示装置の駆動方法、画像表示装置、および電子ペンを用いて描画可能な画像表示システムとして有用である。
【符号の説明】
【０１３８】
１０    パネル
１２    走査電極
１３    維持電極
２２    データ電極
３０    画像表示装置
４０    描画装置
４２    受信部
４６    描画部
５０    電子ペン
５２    受光素子
５４    同期検出部
５６    座標算出部
５８    送信部
１００    画像表示システム
【図１】
2015222278.tif 000003
【図２】
2015222278.tif 000004
【図３】
2015222278.tif 000005
【図４】
2015222278.tif 000006
【図５】
2015222278.tif 000007
【図６】
2015222278.tif 000008
【図７】
2015222278.tif 000009
【図８】
2015222278.tif 000010
【図９】
2015222278.tif 000011
【図１０】
2015222278.tif 000012
【図１１】
2015222278.tif 000013